(57)【要約】【課題】羽板の移動態様の外観品質を向上させた遊技機用シャッター装置を提供する。【解決手段】  遊技機用シャッター装置１は、第１方向にそれぞれ延びる複数の羽板Ｗと、互いに交差する交差部にて回動自在に連結された２つのリンク片Ｌ１１,Ｌ１２,Ｌ２１,Ｌ２２，Ｌ３１，Ｌ３３からそれぞれ構成された複数の第１リンクＬ１,Ｌ２，Ｌ３が、前記第１方向に垂直な第２方向に等間隔に配置されるとともに、隣接する第１リンクＬ１,Ｌ２，Ｌ３のリンク片の端部同士が回動自在に連結されたレージトング３１４ａと、レージトング３１４ａにおけるいずれかのリンク片を駆動して、レージトング３１４ａを前記第２方向に伸縮させる昇降装置３１と、を備える。複数の羽板２１の前記第１方向における端部が、前記複数の第１リンクＬ１,Ｌ２の交差部に支持されている。【選択図】図１１
2020171346.tif 000002
【特許請求の範囲】
【請求項１】
第１方向にそれぞれ延びる複数の羽板と、
互いに交差する交差部にて回動自在に連結された２つのリンク片からそれぞれ構成された複数のリンクが、前記第１方向に垂直な第２方向に等間隔に配置されるとともに、隣接するリンクのリンク片の端部同士が回動自在に連結されたレージトングと、
前記レージトングにおけるいずれかのリンク片を駆動して、前記レージトングを前記第２方向に伸縮させるレージトング駆動装置と、
を備え、
前記複数の羽板の前記第１方向における端部が、前記複数のリンクの交差部に支持されている、遊技機用シャッター装置。
【請求項２】
請求項１に記載の遊技機上シャッター装置において、
前記複数の羽板の前記第１方向における端面に対向配置されたレールであって、前記複数の羽板の前記端面側へ向かって開口され且つ前記第２方向に延びる溝部を有するレールと、
前記レールを、前記第１方向に垂直且つ前記第２方向に垂直な第３方向へ移動させるレール駆動装置と、を備え、
前記複数の羽板は、その前記第１方向における端部にて、前記第１方向にそれぞれ延びる第１軸部及び第２軸部であって、それらの中心軸が、前記第１方向に対して直交する方向に互いにずれている第１軸部及び第２軸部を備え、
前記複数の羽板の前記第１軸部が、前記複数のリンクの交差部に回動可能にそれぞれ支持され、
前記複数の羽板の前記第２軸部が、前記溝部にそれぞれ挿入されている、遊技機用シャッター装置。
【発明の詳細な説明】
【技術分野】
【０００１】
本発明は、遊技機用シャッター装置に関する。
【背景技術】
【０００２】
例えば、下記特許文献１に記載されているように、遊技機の表示装置の表示面を覆い隠す遊技機用シャッター装置は知られている。この遊技機用シャッター装置は、左右方向に延びる略長方形の複数の羽板と、これらの羽板を支持する左右一対の支持部材と、これらの羽板を上下方向にスライドさせる駆動装置を備える。支持部材は、ガイドシャフト及び各羽板にそれぞれ対応した複数の支持体を備える。ガイドシャフトは、上下方向に延びる丸棒である。支持体は、ガイドシャフトに嵌め込まれていて、ガイドシャフトに沿って上下方向にスライド可能である。羽板の左端部及び右端部には、左方及び右方へそれぞれ突出した軸部が設けられている。この軸部が、その中心軸回りに回動可能に、支持体に支持されている。なお、この軸部は、羽板の幅方向における中央部（重心）から少しずれている。
【０００３】
上下方向に隣り合う２つの羽板が、連結アームを介して接続されている。連結アームは、２枚のリンク片からなる。各リンク片は、略長円形の板状部材である。各リンク片の一端部同士が回動可能に連結されている。すなわち、連結アームは、その中間部にて屈折可能である。また、各リンク片の他端部が、前記隣接する２つの羽板の端部に回動可能に連結されている。
【０００４】
駆動装置は、送りねじ、スライドブロック、電動モーターなどを備える。送りねじは、上下方向に延設されている。スライドブロックは、送りねじに螺合されている。電動モーターによって送りねじが回転されることにより、スライドブロックが上下方向に移動する。シャッターが閉じられた状態（前記複数の羽板が、それらの可動範囲の下端にそれぞれ位置する状態。以下、全閉状態と呼ぶ）では、各連結アームを構成する２つのリンク片の間の角度が比較的大きい（例えば、１５０°程度）。さらに、各羽板は、その自重により、水平面に対して垂直になる。すなわち、各羽板の板厚方向が前後方向に一致した状態にある。
【０００５】
この状態からスライドブロックが上昇すると、そのスライドブロックにより、複数の連結アームのうちの最下位の連結アームが押し上げられる。これにより、その連結アームは折り畳まれて行き（屈折して行き）、最下位の羽板が、その上の羽板（下から２番目の羽板）に近づいて重なった状態になる。その際、両羽板が、それらの軸部の回りに回動し、両羽板が略水平になる。すなわち、両羽板の板厚方向が上下方向に一致した状態になる。この過程において、最下位の羽板だけが上方へスライドし、その他の羽板は上下方向にはスライドしない。また、上記のように、最下位の羽板とその上の羽板が重なりあう際に、軸部のまわりに回動するが、その他の羽板は、水平面に対して垂直な状態のままである。スライドブロックがさらに上昇すると、上記のように重なった２枚の羽板が一体的に上方へスライドし、さらにその上の羽板（下から３番目の羽板）に近づいて重なった状態になる。最終的に、全ての羽板が重なった状態で上方へスライドして、シャッターが完全に開いた状態になる。
【０００６】
さらに、特許文献１のシャッター装置は、全閉状態において、各羽板を、その自重に抗して、前記軸部のまわりに回動させて、水平状態に設定するルーバー機能を備える。
【先行技術文献】
【特許文献】
【０００７】
【特許文献１】特許４６５４３９８号公報
【発明の概要】
【０００８】
特許文献１の遊技機用シャッター装置の開閉動作の過程（全閉状態から全開状態への遷移、及びその逆の遷移）において、一部の羽板のみが重なる状態が存在する。すなわち、最上位側にて隣接する２つの羽板の上下方向の間隔と、最下位側にて隣接する２つの羽板の上下方向の間隔が異なる状態が存在する。そのため、全ての羽板の上下方向の間隔が同一である状態で開閉動作可能な遊技機用シャッター装置の外観品質に比べて、特許文献１の遊技機用シャッター装置の外観品質が低い。
【０００９】
本発明の目的は、羽板の移動態様の外観品質を向上させた遊技機用シャッター装置を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【００１０】
上記目的を達成するために、本発明に係る遊技機用シャッター装置（１）は、第１方向にそれぞれ延びる複数の羽板（Ｗ）と、互いに交差する交差部にて回動自在に連結された２つのリンク片（Ｌ１１，Ｌ１２，Ｌ２１，Ｌ２２，Ｌ３１，Ｌ３２，Ｌ４１，Ｌ４２，Ｌ５１，Ｌ５２）からそれぞれ構成された複数のリンク（Ｌ１，Ｌ２，Ｌ３，Ｌ４，Ｌ５）が、前記第１方向に垂直な第２方向に等間隔に配置されるとともに、隣接するリンクのリンク片の端部同士が回動自在に連結されたレージトング（３１４ａ，３１４ｂ）と、前記レージトングにおけるいずれかのリンク片を駆動して、前記レージトングを前記第２方向に伸縮させるレージトング駆動装置（３１）と、を備え、前記複数の羽板の前記第１方向における端部が、前記複数のリンクの交差部に支持されている。
【００１１】
上記のように構成された遊技機用シャッター装置において、レージトング駆動装置によりいずれかのリンクが駆動されることにより、各リンクのリンク片の間の角度が変化して、レージトング全体としての長さが変化（伸縮）する。その際、隣接するリンクの交差部の間隔が増減するが、それらの交差部の間隔が同一になる。したがって、このような交差部に支持された各羽板の間隔が同一になる。よって、本発明によれば、特許文献１の遊技機用シャッター装置に比べて、羽板の第２方向への移動態様の外観品質を向上させることができる。
【００１２】
本発明の一態様に係る遊技機用シャッター装置は、前記複数の羽板の前記第１方向における端面に対向配置されたレール（３２２）であって、前記複数の羽板の前記端面側へ向かって開口され且つ前記第２方向に延びる溝部（３２２ａ，３２２ｂ）を有するレールと、前記レールを、前記第１方向に垂直且つ前記第２方向に垂直な第３方向へ移動させるレール駆動装置（３２４）と、を備え、前記複数の羽板は、その前記第１方向における端部にて、前記第１方向にそれぞれ延びる第１軸部及び第２軸部であって、それらの中心軸が、前記第１方向に対して直交する方向に互いにずれている第１軸部（ＳＨＷ）及び第２軸部（ＰＰ）を備え、前記複数の羽板の前記第１軸部が、前記複数のリンクの交差部に回動可能にそれぞれ支持され、前記複数の羽板の前記第２軸部が、前記溝部にそれぞれ挿入されている。
【００１３】
また、上記特許文献１の遊技機用シャッター装置において、各羽板を回動させるルーバー機能は、全閉状態にのみ利用可能であり、その他の状態では利用できない。また、各羽板を垂直状態又は水平状態に設定できるだけであり、水平面に対して任意の角度に設定することができない。したがって、遊技機の演出態様のバリエーションが少ない。これに対し、本発明の一態様に係る遊技機用シャッター装置においては、レールを第３方向に移動させることにより、各羽板を第１軸部のまわりに回動させることができ、それらの羽板の第２方向における各位置（つまり任意の開閉状態）において、羽板の回動角度を変更可能である。よって、特許文献１の遊技機用シャッター装置を用いた場合に比べて、本発明の一態様に係る遊技機器用シャッター装置を用いた遊技機の演出態様のバリエーションが多い。
【図面の簡単な説明】
【００１４】
【図１】本発明の一実施形態に係る遊技機用シャッター装置が適用されたパチンコ機の分解斜視図である。
【図２】遊技機用シャッター装置の全閉状態であって、水平面に対する各羽板の回動角度を９０°に設定した状態を示す斜視図である。
【図３】遊技機用シャッター装置の全閉状態であって、水平面に対する各羽板の回動角度を０°に設定した状態を示す斜視図である。
【図４】遊技機用シャッター装置の全閉状態と全開状態との中間の状態であって、水平面に対する各羽板の回動角度を４５°に設定した状態を示す斜視図である。
【図５】遊技機用シャッター装置の全開状態であって、水平面に対する各羽板の回動角度を０°に設定した状態を示す斜視図である。
【図６】フレームの斜視図である。
【図７】羽板の斜視図である。
【図８】昇降装置の斜視図である。
【図９】第１支持体の斜視図である。
【図１０】第２支持体乃至第４支持体の斜視図である。
【図１１】昇降装置を右側面図である。
【図１２】昇降装置のレージトングの取り付け構造を示す斜視図である。
【図１３】遊技機用シャッター装置の全開状態におけるレージトングの正面図である。
【図１４】遊技機用シャッター装置の全開状態と全閉状態との中間の状態におけるレージトングの正面図である。
【図１５】遊技機用シャッター装置の全閉状態におけるレージトングの正面図である。
【図１６】ルーバー装置の斜視図である。
【図１７】羽板へのアームピンの取り付け構造を示す斜視図である。
【図１８】アームピンの斜視図である。
【図１９】上側遮蔽板の羽板の回動態様を示す側面図である。
【図２０】下側遮蔽板の羽板の回動態様を示す側面図である。
【図２１】遊技機用シャッター装置の全閉状態であって、水平面に対する各羽板の回動角度を０°に設定した状態を示す側面図である。
【図２２】遊技機用シャッター装置の全開状態であって、水平面に対する各羽板の回動角度を０°に設定した状態を示す側面図である。
【図２３】遊技機用シャッター装置の全閉状態であって、水平面に対する各羽板の回動角度を９０°に設定した状態を示す側面図である。
【図２４】遊技機用シャッター装置の全閉状態と全開状態との中間の状態であって、水平面に対する各羽板の回動角度を４５°に設定した状態を示す側面図である。
【発明を実施するための形態】
【００１５】
本発明の一実施形態に係る遊技機用シャッター装置１について説明する。まず、遊技機用シャッター装置１が適用される遊技機としてのパチンコ機ＰＭの概略について説明しておく。パチンコ機ＰＭは、図１に示すように、鉛直方向に延びる略直方体状の装置である。以下の説明において、パチンコ機ＰＭの高さ方向（鉛直方向）を上下方向と呼ぶ。また、パチンコ機ＰＭの幅方向を左右方向と呼び、パチンコ機ＰＭの奥行き方向を前後方向と呼ぶ。
【００１６】
パチンコ機ＰＭは、同図に示すように、遊技盤ＰＢ、遊技球発射装置ＢＳなどを備える。遊技盤ＰＢは、上下方向に延びる略長方形の板状部材である。遊技盤ＰＢは、遊技者に対向するように配置されている。すなわち、遊技盤ＰＢの板厚方向が前後方向に一致している。遊技球発射装置ＢＳは、遊技盤ＰＢの下方に配置されている。遊技球発射装置ＢＳは、図示しない遊技球を１球ずつ遊技盤ＰＢへ向けて発射する。
【００１７】
遊技盤ＰＢの略中央部に開口部ＯＰが設けられている。開口部ＯＰの後方には、表示装置ＤＤ及び遊技機用シャッター装置１が組み付けられたケースＣＡが配置されている。ケースＣＡは前方（遊技者側）へ開放された箱状部材である。ケースＣＡの中央部に表示装置ＤＤが配置されている。表示装置ＤＤとして、液晶ディスプレイ、有機ＥＬディスプレイなどが用いられる。表示装置ＤＤは、図示しない制御装置に接続されており、制御装置から供給された制御信号に従って画像を表示する。開口部ＯＰの周縁部には枠状の縁飾りＥＰが取り付けられる。
【００１８】
遊技機用シャッター装置１は、図２に示すように、フレーム１０、遮蔽板２０、左側駆動装置３０Ｌ及び右側駆動装置３０Ｒを備える。詳しくは後述するように、遮蔽板２０が駆動されて、表示装置ＤＤの表示面を視認可能な状態と視認不能な状態とが切り替えられる（図２乃至図５参照）。
【００１９】
フレーム１０は、表示装置ＤＤの少し前方に配置される。フレーム１０は、遊技者側か見て、表示装置ＤＤの表示面を取り囲む骨格部材である。フレーム１０は、図６に示すように、左右一対の縦柱部１１Ｌ，１１Ｒ、上側梁部１２及び下側梁部１３を有する。
【００２０】
縦柱部１１Ｌと縦柱部１１Ｒは、フレーム１０の左右方向における中央部を対称軸（対称面）として左右対称構造を有する。そこで、以下、縦柱部１１Ｌについて説明し、縦柱部１１Ｒの説明を省略する。
【００２１】
縦柱部１１Ｌは、後壁部１１１、側壁部１１２、上壁部１１３及び下壁部１１４を備える。後壁部１１１は、上下方向に延びる略長方形の板状部である。後壁部１１１の板厚方向が前後方向に一致している。後壁部１１１の幅方向（左右方向）における中央部には、上下方向にそれぞれ延びる、上下一対のスリット１１１ａ，１１１ｂが形成されている。スリット１１１ａは、後壁部１１１の上端より少し下方に位置する部分から、後壁部１１１の上下方向における中央部より少し上方に位置する部分に亘って、直線状に延設されている。スリット１１１ｂは、後壁部１１１の下端より少し上方に位置する部分から、後壁部１１１の上下方向における中央部より少し下方に位置する部分に亘って、直線状に延設されている。
【００２２】
側壁部１１２は、上下方向に延びる略長方形の板状部である。側壁部１１２の板厚方向が左右方向に一致している。側壁部１１２の後側の端面が、後壁部１１１の前面における右端に接続されている。後壁部１１１の上端と側壁部１１２の上端の上下方向の位置が同一であり、後壁部１１１の下端と側壁部１１２の下端の上下方向の位置が同一である。側壁部１１２の幅方向（前後方向）における中央部には、上下方向にそれぞれ延びる、上下一対のスリット１１２ａ，１１２ｂが形成されている。スリット１１２ａは、側壁部１１２の上端より少し下方に位置する部分から、側壁部１１２の上下方向における中央部より少し上方に位置する部分に亘って、直線状に延設されている。スリット１１２ｂは、側壁部１１２の下端より少し上方に位置する部分から、側壁部１１２の上下方向における中央部より少し下方に位置する部分に亘って、直線状に延設されている。
【００２３】
上壁部１１３及び下壁部１１４は、後壁部１１１の前方且つ側壁部１１２の左方に位置する上下方向に延びる空間の上端及び下端をそれぞれ覆う板状部である。
【００２４】
上側梁部１２は、表示装置ＤＤの上辺に沿うように左右方向に延設されている。上側梁部１２は、平板状に形成されている。上側梁部１２の板厚方向が、前後方向に一致している。下側梁部１３は、表示装置ＤＤの下辺に沿うように左右方向に延設されている。下側梁部１３は、左右一対の平板部１３Ｌ，１３Ｒから構成されている。平板部１３Ｌ，１３Ｒは、左右方向に延びる略長方形を呈する。平板部１３Ｌ，１３Ｒの板厚方向が上下方向に一致している。平板部１３Ｌは、表示装置ＤＤの下辺の左側部に沿うように、縦柱部１１Ｌの下端から右方へ突出している。平板部１３Ｒは、表示装置ＤＤの下辺の右側部に沿うように、縦柱部１１Ｒの下端から左方へ突出している。
【００２５】
遮蔽板２０は、上側遮蔽板２０ａと下側遮蔽板２０ｂとから構成されている(図２乃至図５参照）。上側遮蔽板２０ａは、複数枚（本実施形態では４枚）の羽板Ｗ（Ｗ１ａ,Ｗ２ａ,Ｗ３ａ,Ｗ４ａ）から構成されている。また、下側遮蔽板２０ｂは、複数枚（本実施形態では４枚）の羽板Ｗ（Ｗ１ｂ,Ｗ２ｂ,Ｗ３ｂ,Ｗ４ｂ）から構成されている。羽板Ｗは、図７に示すように、本体部ＭＢＷと、左右一対の軸部ＳＨＷ,ＳＨＷとを有する。本体部ＭＢＷは、左右方向に延びる長方形の板状部である。本体部ＭＢＷの左端面及び右端面に、軸部ＳＨＷ,ＳＨＷがそれぞれ設けられている。軸部ＳＨＷ,ＳＨＷの中心軸は、本体部ＭＢＷの幅方向における中央部、且つ板厚方向における中央部に位置している。軸部ＳＨＷ,ＳＨＷは、本体部ＭＢＷに固定（又は一体的に形成）されている。軸部ＳＨＷの長手方向における中間部ＳＨ１Ｗの軸径（直径）が、基端部ＳＨ２Ｗ及び先端部ＳＨ３Ｗの軸径に比べて少し小さい。先端部ＳＨ３Ｗの外周面には、一対の平面部ＦＳ,ＦＳが設けられている。平面部ＦＳ,ＦＳは、本体部ＭＢＷの側面に平行である。平面部ＦＳ,ＦＳは、軸部ＳＨＷの中心軸を含む平面であって、本体部ＭＢＷの側面に平行な平面から見て、互いに反対側に位置し、且つ等距離にある。なお、軸部ＳＨＷは本発明の第１軸部に相当する。
【００２６】
左側駆動装置３０Ｌは、昇降装置３１とルーバー装置３２とを備える（図８及び図１６参照）。なお、図８において、ルーバー装置３２が省略されている。図１６において、昇降装置３１の一部が省略されている。
【００２７】
昇降装置３１は、図８及び図１２に示すように、ガイドシャフト３１１、送りねじ３１２、支持体セット３１３ａ,３１３ｂ、レージトング３１４ａ,３１４ｂ及び電動モーター３１５を備える。ガイドシャフト３１１は、上下方向に延びる丸棒である。ガイドシャフト３１１の上端部及び下端部が上壁部１１３及び下壁部１１４にそれぞれ支持されている。ガイドシャフト３１１は、後壁部１１１の前面における右端部の少し前方（側壁部１１２の左面における後端部の少し左方）に位置している。送りねじ３１２は、上下方向に延びる丸棒であり、その外周面に上下一対の螺旋状の溝部Ｇａ,Ｇｂが形成されている。溝部Ｇａは、送りねじ３１２の上端より少し下方に位置する部分から、送りねじ３１２の上下方向における中央部より少し上方に位置する部分に亘って形成されている。溝部Ｇｂは、送りねじ３１２の下端より少し上方に位置する部分から、送りねじ３１２の上下方向における中央部より少し下方に位置する部分に亘って形成されている。溝部Ｇａと溝部Ｇｂの螺旋の旋回方向が反対である。送りねじ３１２の上端部及び下端部が、上壁部１１３及び下壁部１１４に設けられた軸支持部に、回転可能に支持されている。送りねじ３１２は、ガイドシャフト３１１の前方に位置している。
【００２８】
支持体セット３１３ａは、第１支持体Ｓ１ａ、第２支持体Ｓ２ａ,第３支持体Ｓ３ａ及び第４支持体Ｓ４ａから構成されている。第１支持体Ｓ１ａは、図９に示すように、左右方向に延びる略直方体形状を呈する。第１支持体Ｓ１ａは、上下方向に貫通する貫通孔ＴＨ１Ｓ１ａ,ＴＨ２Ｓ１ａを有する。貫通孔ＴＨ１Ｓ１ａ及び貫通孔ＴＨ２Ｓ１ａにガイドシャフト３１１及び送りねじ３１２がそれぞれ挿入されている。貫通孔ＴＨ２Ｓ１ａの内周面には、図示しないボールが埋め込まれていて、これらのボールが、溝部Ｇａに嵌合している。これにより、送りねじ３１２が回転（正転又は逆転）すると、第１支持体Ｓ１ａがガイドシャフト３１１に沿って上下方向にスライドする。
【００２９】
第１支持体Ｓ１ａは、左右方向に貫通する貫通孔ＴＨ３Ｓ１ａを有する。貫通孔ＴＨ３Ｓ１ａは、スリット１１２ａに連通している（図１１参照）。側壁部１１２の右方から、スリット１１２ａに、羽板Ｗ１ａの左側の軸部ＳＨＷが挿入されて、その軸部ＳＨＷが、貫通孔ＴＨ３Ｓ１ａに挿入される。これにより、羽板Ｗ１ａの左端部が、第１支持体Ｓ１ａに支持される。
【００３０】
第１支持体Ｓ１ａの後面の略中央部には、後方へ少し突出した円筒状のピン受け部ＰＲＳ１ａが形成されている（図９参照）。ピン受け部ＰＲＳ１ａは、スリット１１１ａに挿入されている（図１２参照）。ピン受け部ＰＲＳ１ａは、後述するレージトング３１４ａを支持する。
【００３１】
さらに、第１支持体Ｓ１ａの前面の左部には、上下方向に延びる凹部ＲＳ１ａが形成されている（図９参照）。第１支持体Ｓ１ａの平面視において、凹部ＲＳ１ａは、半円形を呈する。凹部ＲＳ１ａに、後述する駆動シャフト３２１が嵌め込まれて支持される。
【００３２】
第２支持体Ｓ２ａ、第３支持体Ｓ３ａ及び第４支持体Ｓ４ａの構成は同一である。以下、第２支持体Ｓ２ａの構成について説明する。第２支持体Ｓ２ａは、図１０に示すように、左右方向に延びる略直方体形状を呈する。第２支持体Ｓ２ａは、上下方向に貫通する貫通孔ＴＨ１Ｓ２ａを有する。
【００３３】
第２支持体Ｓ２ａは、左右方向に貫通する貫通孔ＴＨ２Ｓ２ａを有する。貫通孔ＴＨ２Ｓ２ａは、スリット１１２ａに連通している（図１１参照）。
【００３４】
第２支持体Ｓ２ａの後面の略中央部には、後方へ少し突出した円筒状のピン受け部ＰＲＳ２ａが形成されている（図１０参照）。ピン受け部ＰＲＳ２ａは、スリット１１１ａに挿入されている（図１２参照）。ピン受け部ＰＲＳ２ａは、後述するレージトング３１４ａを支持する。
【００３５】
さらに、第２支持体Ｓ２ａの前面の左部には、上下方向に延びる凹部ＲＳ２ａが形成されている。第２支持体Ｓ２ａの平面視において、凹部ＲＳ２ａは、半円形を呈する。凹部ＲＳ２ａに、後述する駆動シャフト３２１が嵌め込まれて支持される。
【００３６】
上記のように構成された第２支持体Ｓ２ａ、第３支持体Ｓ３ａ及び第４支持体Ｓ４ａが、第１支持体Ｓ１ａの上方にて、上下方向に配列され、それらの貫通孔ＴＨ１Ｓ２ａ, ＴＨ１Ｓ３ａ, ＴＨ１Ｓ４ａにガイドシャフト３１１が挿入されている（図８参照）。第２支持体Ｓ２ａ、第３支持体Ｓ３ａ及び第４支持体Ｓ４ａは、ガイドシャフト３１１に沿って上下方向にスライド可能である。側壁部１１２の右方から、スリット１１２ａに、羽板Ｗ２ａ,Ｗ３ａ,Ｗ４ａの左側の軸部ＳＨＷがそれぞれ挿入されて、それらの軸部ＳＨＷが、第２支持体Ｓ２ａ、第３支持体Ｓ３ａ及び第４支持体Ｓ４ａの貫通孔ＴＨ２Ｓ２ａ,ＴＨ２Ｓ３ａ,ＴＨ２Ｓ４ａにそれぞれ挿入される。これにより、羽板Ｗ２ａ,Ｗ３ａ,Ｗ４ａの左端部が、第２支持体Ｓ２ａ、第３支持体Ｓ３ａ及び第４支持体Ｓ４ａにそれぞれ支持される。
【００３７】
支持体セット３１３ｂは、支持体セット３１３ａの第１支持体Ｓ１ａ、第２支持体Ｓ２ａ、第３支持体Ｓ３ａ及び第４支持体Ｓ４ａと同一の第１支持体Ｓ１ｂ、第２支持体Ｓ２ｂ、第３支持体Ｓ３ｂ及び第４支持体Ｓ４ｂから構成されている（図８乃至図１０参照）。第１支持体Ｓ１ｂの貫通孔ＴＨ２Ｓ１ｂの内周面に設けられたボールが、溝部Ｇｂに嵌合している。上記のように、溝部Ｇａの旋回方向と、溝部Ｇｂの旋回方向とが反対であるため、送りねじ３１２が一方向に回転（正転又は逆転）すると、第１支持体Ｓ１ａと第１支持体Ｓ１ｂとが、反対方向にスライドする。第２支持体Ｓ２ｂ、第３支持体Ｓ３ｂ及び第４支持体Ｓ４ｂは、第１支持体Ｓ１ｂの下方にて、上下方向に配列されている。
【００３８】
第１支持体Ｓ１ｂの貫通孔ＴＨ３Ｓ１ｂは、スリット１１２ｂに連通している（図１１参照）。側壁部１１２の右方から、スリット１１２ｂに、羽板Ｗ１ｂの左側の軸部ＳＨＷが挿入されて、その軸部ＳＨＷが、貫通孔ＴＨ３Ｓ１ｂに挿入される。これにより、羽板Ｗ１ｂの左端部が、第１支持体Ｓ１ｂに支持される。第２支持体Ｓ２ｂ、第３支持体Ｓ３ｂ及び第４支持体Ｓ４ｂの貫通孔ＴＨ２Ｓ２ｂ,ＴＨ２Ｓ３ｂ,ＴＨ２Ｓ４ｂは、スリット１１２ｂに連通している。側壁部１１２の右方から、スリット１１２ｂに、羽板Ｗ２ｂ,Ｗ３ｂ,Ｗ４ｂの左側の軸部ＳＨＷが挿入されて、それらの軸部ＳＨＷが、貫通孔ＴＨ２Ｓ２ｂ,ＴＨ２Ｓ３ｂ,ＴＨ２Ｓ４ｂにそれぞれ挿入される。これにより、羽板Ｗ２ｂ,Ｗ３ｂ,Ｗ４ｂの左端部が、第２支持体Ｓ２ｂ、第３支持体Ｓ３ｂ及び第４支持体Ｓ４ｂにそれぞれ支持される。また、ピン受け部ＰＲＳ１ｂ,ＳＲＳ２ｂ,ＳＲＳ３ｂ,ＳＲＳ４ｂは、スリット１１１ｂにそれぞれ挿入されている。
【００３９】
レージトング３１４ａは、後壁部１１１の後面の上半部に取り付けられている。レージトング３１４ａは、第１リンクＬ１、第２リンクＬ２、第３リンクＬ３、第４リンクＬ４及び第５リンクＬ５を連結して構成されている。
【００４０】
第１リンクＬ１は、図１３に示すように、２つのリンク片Ｌ１１,Ｌ１２から構成されている。リンク片Ｌ１１,Ｌ１２は、前後方向に垂直な長円形の板状部である。リンク片Ｌ１１及びリンク片Ｌ１２の構成は同一である。リンク片Ｌ１１,Ｌ１２の長手方向における一端部が前後方向に重ねられている。このリンク片Ｌ１１,Ｌ１２の重畳部には、前後方向に貫通する貫通孔が設けられており、この貫通孔に、前後方向に延びるピンＰ１が嵌め込まれている。このようにして、リンク片Ｌ１１,Ｌ１２は、ピンＰ１のまわりに回動可能に連結されている。また、リンク片Ｌ１１,Ｌ１２の長手方向における他端部が、ピンＰ１から見て斜め上方へそれぞれ向けられ、当該部位が、次に説明する第２リンクＬ２に連結されている。
【００４１】
第２リンクＬ２は、２つのリンク片Ｌ２１，Ｌ２２から構成されている。リンク片Ｌ２１,Ｌ２２は、前後方向に垂直な長円形の板状部である。リンク片Ｌ２１及びリンク片Ｌ２２の構成は同一である。リンク片Ｌ２１，Ｌ２２の幅及び板厚は、リンク片Ｌ１１，Ｌ１２の幅及び板厚と同一である。リンク片Ｌ２１，Ｌ２２の長さは、リンク片Ｌ１１，Ｌ１２の長さの２倍程度である。リンク片Ｌ２１,Ｌ２２は、それらの長手方向における中央部にて交差するように、前後方向に重ねられている。リンク片Ｌ２１,Ｌ２２の前記中央部には、前後方向に貫通する貫通孔が設けられており、この貫通孔に、前後方向に延びるピンＰ２が嵌め込まれている。このようにして、リンク片Ｌ２１,Ｌ２２が、ピンＰ２のまわりに回動可能に連結されている。
【００４２】
リンク片Ｌ１１,Ｌ１２の他端部（上端部）が、リンク片Ｌ２２，Ｌ２１の一端部（下端部）にそれぞれ重ねられている。このようなリンク片Ｌ１１,Ｌ２２の端部同士の重畳部及びリンク片Ｌ１２,Ｌ２１の端部同士の重畳部には、前後方向に貫通する貫通孔が設けられており、これらの貫通孔にピンＰがそれぞれ嵌め込まれている。このようにして、リンク片Ｌ１１,Ｌ２２が、ピンＰのまわりに回動可能に連結されている。また、リンク片Ｌ１２，Ｌ２１が、ピンＰのまわりに回動可能に連結されている。
【００４３】
第３リンクＬ３及び第４リンクＬ４の構成は、第２リンクＬ２の構成と同様である。すなわち、第３リンクＬ３は、リンク片Ｌ３１，Ｌ３２からなり、その中央部にて、ピンＰ３のまわりに回動可能に連結されている。また、第４リンクＬ４は、リンク片Ｌ４１，Ｌ４２からなり、その中央部にて、ピンＰ４のまわりに回動可能に連結されている。
【００４４】
リンク片Ｌ２１,Ｌ２２の他端部（上端部）が、リンク片Ｌ３２，Ｌ３１の一端部（下端部）にそれぞれ重ねられている。このようなリンク片Ｌ２１,Ｌ３２の端部同士の重畳部及びリンク片Ｌ２２,Ｌ３１の端部同士の重畳部には、前後方向に貫通する貫通孔が設けられており、これらの貫通孔にピンＰがそれぞれ嵌め込まれている。このようにして、リンク片Ｌ２１,Ｌ３２が、ピンＰのまわりに回動可能に連結されている。また、リンク片Ｌ２２，Ｌ３１が、ピンＰのまわりに回動可能に連結されている。
【００４５】
リンク片Ｌ３１,Ｌ３２の他端部（上端部）が、リンク片Ｌ４２，Ｌ４１の一端部（下端部）にそれぞれ重ねられている。このようなリンク片Ｌ３１,Ｌ４２の端部同士の重畳部及びリンク片Ｌ３２,Ｌ４１の端部同士の重畳部には、前後方向に貫通する貫通孔が設けられており、これらの貫通孔にピンＰがそれぞれ嵌め込まれている。このようにして、リンク片Ｌ３１,Ｌ４２が、ピンＰのまわりに回動可能に連結されている。また、リンク片Ｌ３２，Ｌ４１が、ピンＰのまわりに回動可能に連結されている。
【００４６】
第５リンクＬ５は、２つのリンク片Ｌ５１,Ｌ５２から構成されている。リンク片Ｌ５１,Ｌ５２は、前後方向に垂直な長円形の板状部である。リンク片Ｌ５１及びリンク片Ｌ５２の構成は同一である。リンク片Ｌ５１,Ｌ５２の長手方向における一端部が前後方向に重ねられる。このリンク片Ｌ５１,Ｌ５２の重畳部には、前後方向に貫通する貫通孔が設けられており、この貫通孔に、前後方向に延びるピンＰ５が嵌め込まれている。このようにして、リンク片Ｌ５１,Ｌ５２は、ピンＰ５のまわりに回動可能に連結されている。また、リンク片Ｌ５１,Ｌ５２の長手方向における他端部が、ピンＰ５から見て斜め下方へそれぞれ向けられ、当該部位が、第４リンクＬ４に連結されている。
【００４７】
リンク片Ｌ４１,Ｌ４２の他端部（上端部）が、リンク片Ｌ５２，Ｌ５１の他端部（下端部）にそれぞれ重ねられている。このようなリンク片Ｌ４１,Ｌ５２の端部同士の重畳部及びリンク片Ｌ４２,Ｌ５１の端部同士の重畳部には、前後方向に貫通する貫通孔が設けられており、これらの貫通孔にピンＰがそれぞれ嵌め込まれている。このようにして、リンク片Ｌ４１,Ｌ５２が、ピンＰのまわりに回動可能に連結されている。また、リンク片Ｌ４２，Ｌ５１が、ピンＰのまわりに回動可能に連結されている。
【００４８】
上記のように構成されたレージトング３１４ａが、支持体セット３１３ａに取り付けられている。具体的には、第１リンクＬ１、第２リンクＬ２、第３リンクＬ３及び第４リンクＬ４のピンＰ１，Ｐ２，Ｐ３，Ｐ４の先端部が第１支持体Ｓ１ａ、第２支持体Ｓ２ａ、第３支持体Ｓ３ａ及び第４支持体Ｓ４ａのピン受け部ＰＲＳ１ａ，ＳＲＳ２ａ，ＳＲＳ３ａ，ＳＲＳ４ａに嵌め込まれて固定されている（図１２参照）。そして、第５リンクＬ５のピンＰ５が、後壁部１１１のスリット１１１ａの少し上方に設けられた貫通孔ＴＨ１１１に挿入されて固定されている。
【００４９】
レージトング３１４ｂとレージトング３１４ａとは、上下対称構造を有する。レージトング３１４ｂは、支持体セット３１３ｂに取り付けられるとともに、後壁部１１１に固定されている。
【００５０】
電動モーター３１５は、ステッピングモーター３１５ａと、減速ギヤ装置３１５ｂとを備える。ステッピングモーター３１５ａ及び減速ギヤ装置３１５ｂは、平板部１３Ｌの下面に組み付けられている。ステッピングモーター３１５ａの回転駆動力が、減速ギヤ装置３１５ｂを介して、送りねじ３１２に伝達されて、送りねじ３１２が回転駆動される。例えば、図１３に示す状態において、電動モーター３１５が正転駆動されると、第１支持体Ｓ１ａが上昇するとともに、第１支持体Ｓ１ｂが下降する。これにより、レージトング３１４ａ,３１４ｂは、上下方向に縮められる（図１３乃至図１５参照）。その際、各リンク片の作用により、ピンＰ１,Ｐ２,Ｐ３,Ｐ４,Ｐ５のうちの上下方向に隣接するピン同士の間隔（上下方向の距離）が同一になっている。よって、支持体セット３１３ａにおいて、隣接する支持体同士の上下方向の間隔（第１支持体Ｓ１ａと第２支持体Ｓ２ａの間隔、第２支持体Ｓ２ａと第３支持体Ｓ３ａの間隔、第３支持体Ｓ３ａと第４支持体Ｓ４ａの間隔）が徐々に小さくなっていくが、これらの間隔は同一になっている。また、支持体セット３１３ｂにおいて、隣接する支持体同士の上下方向の間隔（第１支持体Ｓ１ｂと第２支持体Ｓ２ｂの間隔、第２支持体Ｓ２ｂと第３支持体Ｓ３ｂの間隔、第３支持体Ｓ３ｂと第４支持体Ｓ４ｂの間隔）が徐々に小さくなっていくが、これらの間隔は同一になっている。
【００５１】
図１５に示す状態において、電動モーター３１５が逆転駆動されると、第１支持体Ｓ１ａが下降するとともに、第１支持体Ｓ１ｂが上昇する。これにより、レージトング３１４ａ,３１４ｂは、上下方向に伸張される（図１５乃至図１３参照）。支持体セット３１３ａにおいて、隣接する支持体同士の上下方向の間隔が徐々に大きくなっていくが、これらの間隔は同一になっている。また、支持体セット３１３ｂにおいて、隣接する支持体同士の上下方向の間隔が徐々に大きくなっていくが、これらの間隔は同一になっている。
【００５２】
ルーバー装置３２は、図１６及び図１７に示すように、駆動シャフト３２１、ガイドレール３２２、複数（本実施形態では８個）の連結アーム３２３、及び電動モーター３２４を備える。駆動シャフト３２１は、上下方向に延びる丸棒である。駆動シャフト３２１の上端部及び下端部が、上壁部１１３及び下壁部１１４に設けられた支持部によって、その中心軸まわりに回動可能に支持されている。駆動シャフト３２１は、支持体セット３１３ａ及び支持体セット３１３ｂの直前に配置されている。駆動シャフト３２１の中間部が、第１支持体Ｓ１ａ、第２支持体Ｓ２ａ、第３支持体Ｓ３ａ、第４支持体Ｓ４ａ及び第１支持体Ｓ１ｂ、第２支持体Ｓ２ｂ、第３支持体Ｓ３ｂ、第４支持体Ｓ４ｂの凹部ＲＳ１ａ，ＲＳ２ａ，ＲＳ３ａ，ＲＳ４ａ，ＲＳ１ｂ，ＲＳ２ｂ，ＲＳ３ｂ，ＲＳ４ｂに嵌め込まれている。駆動シャフト３２１の上端部、中央部、及び下端部には、ピニオンギヤＰＧが設けられている。
【００５３】
ガイドレール３２２は、上下方向に延びる略角柱状部材である。ガイドレール３２２は、支持体セット３１３ａ及び支持体セット３１３ｂの左方に配置されている。ガイドレール３２２の上端部、中央部及び下端部には、前後方向に貫通する貫通孔ＴＨ３２２がそれぞれ形成されている（図１７参照）。後壁部１１１の前面には、各貫通孔ＴＨ３２２に対応した支持軸ＳＨ１１１が設けられており（図６参照）、これらの支持軸ＳＨ１１１が貫通孔ＴＨ３２２に挿入されている。ガイドレール３２２には、左右方向に貫通していて、それぞれ上下方向に延びる、上下一対のスリット３２２ａ,３２２ｂが形成されている（図１６及び図１７参照）。ガイドレール３２２の右面の上端部、中央部、及び下端部に、前後方向に延びるラックギヤＲＧが設けられている。これらのラックギヤＲＧに、駆動シャフト３２１のピニオンギヤＰＧが噛み合っている。駆動シャフト３２１が回転（正転又は逆転）されると、ガイドレール３２２が前後方向に移動する。なお、図１７において、駆動シャフト３２１が省略されている。
【００５４】
連結アーム３２３は、図１８に示すように、アーム部ＡＰとピン部ＰＰを有する。ここで、羽板Ｗ１ａ，Ｗ１ｂの軸部ＳＨＷが、第１支持体Ｓ１ａ，Ｓ１ｂの貫通孔ＴＨ３Ｓ１ａ，ＴＨ３Ｓ１ｂに挿入された状態において、軸部ＳＨＷの先端部ＳＨ３Ｗは、第１支持体Ｓ１ａ，Ｓ１ｂの左端面から左方へ突出している。また、羽板Ｗ２ａ，Ｗ３ａ，Ｗ４ａ，Ｗ２ｂ，Ｗ３ｂ，Ｗ４ｂの軸部ＳＨＷが第２支持体Ｓ２ａ，Ｓ３ａ，Ｓ４ａ，Ｓ２ｂ，Ｓ３ｂ，Ｓ４ｂの貫通孔ＴＨ２Ｓ２ａ，ＴＨ２Ｓ３ａ，ＴＨ２Ｓ４ａ，ＴＨ２Ｓ２ｂ，ＴＨ２Ｓ３ｂ，ＴＨ２Ｓ４ｂに挿入された状態において、軸部ＳＨＷの先端部ＳＨ３Ｗは、第２支持体Ｓ２ａ，Ｓ３ａ，Ｓ４ａ，Ｓ２ｂ，Ｓ３ｂ，Ｓ４ｂの左端面から左方へ突出している。アーム部ＡＰは、左右方向に貫通する貫通孔ＴＨ３２３を有する。羽板Ｗ１ａ，Ｗ２ａ，Ｗ３ａ，Ｗ４ａ，Ｗ１ｂ，Ｗ２ｂ，Ｗ３ｂ，Ｗ４ｂの軸部ＳＨＷの先端部ＳＨ３Ｗが、貫通孔ＴＨ３２３に挿入されて固定されている。図１９に示すように、羽板Ｗ１ａ，Ｗ２ａ，Ｗ３ａ，Ｗ４ａが水平に配置されている状態（板厚方向が上下方向に一致している状態）において、アーム部ＡＰが、軸部ＳＨＷの中心から前方且つ下方へ斜めに延設されている。その延設方向と上下方向との間の角度が４５°である。一方、図２０に示すように、羽板Ｗ１ｂ，Ｗ２ｂ，Ｗ３ｂ，Ｗ４ｂが水平に配置されている状態（板厚方向が上下方向に一致している状態）において、アーム部ＡＰが、軸部ＳＨＷの中心から前方且つ上方へ斜めに延設されている。その延設方向と上下方向との間の角度が４５°である。
【００５５】
ピン部ＰＰは、アーム部ＡＰの先端部から左方へ突出している。羽板Ｗ１ａ，Ｗ２ａ，Ｗ３ａ，Ｗ４ａの連結アーム３２３のピン部ＰＰが、スリット３２２ａに挿入されている（図２１乃至図２４参照）。羽板Ｗ１ｂ，Ｗ２ｂ，Ｗ３ｂ，Ｗ４ｂの連結アーム３２３のピン部ＰＰが、スリット３２２ｂに挿入されている。なお、ピン部ＰＰは本発明の第２軸部に相当する。
【００５６】
電動モーター３２４は、ステッピングモーター３２４ａと、減速ギヤ装置３２４ｂとを備える。ステッピングモーター３２４ａ及び減速ギヤ装置３２４ｂは、平板部１３Ｌの下面に組み付けられている。ステッピングモーター３２４ａの回転駆動力が、減速ギヤ装置３２４ｂを介して、駆動シャフト３２１に伝達されて、駆動シャフト３２１が回転駆動される。
【００５７】
右側駆動装置３０Ｒと左側駆動装置３０Ｌとは、左右対称構造を有する。各羽板Ｗの右端部の軸部ＳＨＷが、右側駆動装置３０Ｒの支持体セット３１３ａ，３１３ｂを介して、レージトング３１４ａ,３１４ｂに支持されている。
【００５８】
上記のように構成された遊技機用シャッター装置１の左側駆動装置３０Ｌ及び右側駆動装置３０Ｒの支持体セット３１３ａ，３１３ｂが同期駆動されることにより、遮蔽板２０を構成する羽板Ｗが上下方向に移動される。以下の説明において、羽板Ｗ１ａ,Ｗ２ａ,Ｗ３ａ，Ｗ４ａが、それらの上下方向の可動範囲の下端に位置し、羽板Ｗ１ｂ，Ｗ２ｂ，Ｗ３ｂ，Ｗ４ｂが、それらの上下方向の可動範囲の上端に位置する状態を全閉状態と呼ぶ。羽板Ｗ１ａ,Ｗ２ａ,Ｗ３ａ，Ｗ４ａが、それらの上下方向の可動範囲の上端に位置し、羽板Ｗ１ｂ，Ｗ２ｂ，Ｗ３ｂ，Ｗ４ｂが、それらの上下方向の可動範囲の下端に位置する状態を全開状態と呼ぶ。
【００５９】
例えば、全閉状態（図２１の状態）において、遊技に関する特定のイベントが発生すると、左側駆動装置３０Ｌ及び右側駆動装置３０Ｒの送りねじ３１２が同期して回転される。これにより、送りねじ３１２の溝部Ｇａに螺合されている第１支持体Ｓ１ａが上昇するとともに、溝部Ｇｂに螺合されている第１支持体Ｓ１ｂが下降する。第１支持体Ｓ１ａが上昇すると、レージトング３１４ａの第１リンクＬ１、第２リンクＬ２、第３リンクＬ３、第４リンクＬ４及び第５リンクＬ５をそれぞれ構成するリンク片同士の間の角度が増大し、ピンＰ１,Ｐ２,Ｐ３,Ｐ４,Ｐ５の間隔が徐々に減少していく（図１３乃至図１５参照）。一方、第１支持体Ｓ１ｂが下降すると、レージトング３１４ｂの第１リンクＬ１、第２リンクＬ２、第３リンクＬ３、第４リンクＬ４及び第５リンクＬ５をそれぞれ構成するリンク片同士の間の角度が増大し、ピンＰ１,Ｐ２,Ｐ３,Ｐ４,Ｐ５の間隔が徐々に減少していく。すなわち、羽板Ｗ１ａ,Ｗ２ａ,Ｗ３ａ,Ｗ４ａが同時に上昇し、それらの上下方向の間隔が徐々に減少して行くとともに、羽板Ｗ１ｂ,Ｗ２ｂ,Ｗ３ｂ,Ｗ４ｂが同時に下降し、それらの上下方向の間隔が徐々に減少して行き、全開状態に至る（図２２の状態）。全閉状態から全開状態に至る過程において、羽板Ｗ１ａ,Ｗ２ａ,Ｗ３ａ,Ｗ４ａのうちの隣接する羽板Ｗの上下方向の間隔は同一であり、羽板Ｗ１ｂ,Ｗ２ｂ,Ｗ３ｂ,Ｗ４ｂのうちの隣接する羽板Ｗの上下方向の間隔は同一である。
【００６０】
ただし、例えば、全閉状態であって、且つ各羽板Ｗの回動角度（水平面に対する各羽板Ｗの板面の角度）が９０°である状態（図２及び図２３参照）において、そのまま、羽板Ｗ１ａ,Ｗ２ａ,Ｗ３ａ,Ｗ４ａを上昇させるとともに、羽板Ｗ１ｂ,Ｗ２ｂ,Ｗ３ｂ,Ｗ４ｂを下降させようとすると、上下方向に隣り合う羽板Ｗ同士が干渉してしまう。そこで、昇降装置３１によって各羽板Ｗが昇降駆動される際、昇降装置３１とルーバー装置３２が同期動作するように構成されている。すなわち、上下方向に隣り合う羽板Ｗ同士が干渉しないように、各羽板Ｗを回動させつつ昇降させる。具体的には、羽板Ｗの上下方向の位置に対し、羽板Ｗの回動角度の最大値が予め決定されている。そして、羽板Ｗの上下方向の位置が図示しないセンサーを用いて監視されている。各羽板Ｗの回動角度が、前記センサーの検出結果に対応する回動角度の最大値よりも小さくなるように、ガイドレール３２２の前後方向の位置（すなわち、各羽板Ｗの回動角度）が制御される。
【００６１】
また、例えば、所定の遊技状態において、全閉状態に設定されるとともに、各羽板Ｗが水平に配置された状態に設定される。この場合、遊技者は、各羽板Ｗの隙間から表示装置ＤＤの表示面を視認可能である。この状態において、遊技に関する他の特定のイベントが発生すると、ルーバー装置３２が駆動される。具体的には、図２１及び図２３に示すように、各羽板Ｗが水平に配置された状態から、駆動シャフト３２１が回転駆動されて、ガイドレール３２２が後方へ移動する。上記のように、羽板Ｗ１ａ，Ｗ２ａ，Ｗ３ａ，Ｗ４ａが水平に配置されている状態において、アーム部ＡＰが、軸部ＳＨＷの中心から前方且つ下方へ斜めに延設されている。したがって、ガイドレール３２２が後方へ移動すると、スリット３２２ａに嵌合している連結アーム３２３が、左方から見て時計まわりに回動する（図１９参照）。一方、羽板Ｗ１ｂ，Ｗ２ｂ，Ｗ３ｂ，Ｗ４ｂが水平に配置されている状態において、アーム部ＡＰが、軸部ＳＨＷの中心から前方且つ下方へ斜めに延設されている。したがって、ガイドレール３２２が後方へ移動すると、スリット３２２ｂに嵌合している連結アーム３２３が、左方から見て反時計まわりに回動する（図２０参照）。これにより、遊技者が表示装置ＤＤの表示面を視認不能な状態になる。
【００６２】
なお、各羽板Ｗの各高さ位置（全閉状態と全開状態との間の状態）において、その位置に対応する回動角度の最大値を超えない範囲であれば、羽板Ｗの回動角度の値を任意に設定可能である。例えば、図２４に示すように、各羽板Ｗが、それらの上下方向における可動範囲の中央部付近に位置している状態では、各羽板Ｗの回動角度の最大値は「４５°」程度であり、各羽板Ｗの回動角度の値を、「０°」〜「４５°」の範囲内の任意の値に設定できる。
【００６３】
上記のように、遊技機用シャッター装置１においては、レージトング３１４ａ，３１４ｂの作用により、遮蔽板２０の開閉動作の途中であっても、各羽板Ｗの上下方向における間隔が同一になる。よって、本実施形態によれば、特許文献１の遊技機用シャッター装置に比べて、羽板Ｗの昇降動作の外観品質を向上させることができる。
【００６４】
また、上記特許文献１の遊技機用シャッター装置において、各羽板を回動させるルーバー機能は、全閉状態にのみ利用可能であり、その他の状態では利用できない。また、各羽板を垂直状態又は水平状態に設定できるだけであり、水平面に対して任意の角度に設定することができない。したがって、遊技機の演出態様のバリエーションが少ない。これに対し、遊技機用シャッター装置１においては、羽板Ｗの各高さ位置において、その位置に対応した回動角度の最大値を超えない範囲であれば、羽板Ｗの回動角度の値を任意に設定可能である。よって、特許文献１の遊技機用シャッター装置を用いた場合に比べて、遊技機用シャッター装置１を用いた遊技機の演出態様のバリエーションが多い。
【００６５】
さらに、本発明の実施にあたっては、上記実施形態に限定されるものではなく、本発明の目的を逸脱しない限りにおいて種々の変更が可能である。
【００６６】
例えば、上記実施形態における左側駆動装置３０Ｌと右側駆動装置３０Ｒは、左右対称構造を有しているが、一方の駆動装置のルーバー装置３２を省略してもよい。また、一方の駆動装置のレージトング３１４ａ，３１４ｂを省略してもよい。また、上記実施形態では、遊技機用シャッター装置１の遮蔽板２０が上下方向に移動するように構成されているが、遊技機用シャッター装置１を前後方向に延びる軸のまわりに９０°回転させて配置し、遮蔽板２０が左右方向に移動するように設定してもよい。
【符号の説明】
【００６７】
１…遊技機用シャッター装置、１０…フレーム、２０…遮蔽板、２０ａ…上側遮蔽板、２０ｂ…下側遮蔽板、３０Ｌ…左側駆動装置、３０Ｒ…右側駆動装置、３１…昇降装置、３２…ルーバー装置、１１１…後壁部、１１２…側壁部、３１１…ガイドシャフト、３１２…送りねじ、３１３ａ，３１３ｂ…支持体セット、３１４ａ，３１４ｂ…レージトング、３１５…電動モーター、３２１…駆動シャフト、３２２…ガイドレール、３２３…連結アーム、３２４…電動モーター、Ｌ１…第１リンク、Ｌ２…第２リンク、Ｌ３…第３リンク、Ｌ４…第４リンク、Ｌ５…第５リンク、Ｐ１，Ｐ２,Ｐ３，Ｐ４，Ｐ５…ピン、ＰＭ…パチンコ機、Ｓ１ａ，Ｓ１ｂ…第１支持体、Ｓ２ａ，Ｓ２ｂ…第２支持体、Ｓ３ａ，Ｓ３ｂ…第３支持体、Ｓ４ａ，Ｓ４ｂ…第４支持体、ＳＨＷ…軸部、Ｗ…羽板
【図１】
2020171346.tif 000003
【図２】
2020171346.tif 000004
【図３】
2020171346.tif 000005
【図４】
2020171346.tif 000006
【図５】
2020171346.tif 000007
【図６】
2020171346.tif 000008
【図７】
2020171346.tif 000009
【図８】
2020171346.tif 000010
【図９】
2020171346.tif 000011
【図１０】
2020171346.tif 000012
【図１１】
2020171346.tif 000013
【図１２】
2020171346.tif 000014
【図１３】
2020171346.tif 000015
【図１４】
2020171346.tif 000016
【図１５】
2020171346.tif 000017
【図１６】
2020171346.tif 000018
【図１７】
2020171346.tif 000019
【図１８】
2020171346.tif 000020
【図１９】
2020171346.tif 000021
【図２０】
2020171346.tif 000022
【図２１】
2020171346.tif 000023
【図２２】
2020171346.tif 000024
【図２３】
2020171346.tif 000025
【図２４】
2020171346.tif 000026